(57)【要約】      （修正有）【課題】サンドイッチを棚等に陳列した状態でも、店舗の従業員等がサンドイッチに触れることなく、廃棄時期を容易に知ることができると共に、サンドイッチに挟まれた具材を外部から視認することができるサンドイッチ用包装袋を提供する。【解決手段】サンドイッチ用包装袋１であって、正面部３と前記背面部との交わる辺から上方に向かって延出する延出部６を備え、前記延出部６は前記延出方向と直交する方向に沿って複数の領域６Ａ，６Ｂ，６Ｃ，６Ｄに区分されると共に、前記複数の領域の１つまたは２つ以上の特定領域に識別マークＭ１を形成することによって、サンドイッチの廃棄時期を表示する。【選択図】図２
0003185583.tif 000002
【実用新案登録請求の範囲】
【請求項１】
側面が直角三角形状のサンドイッチを包装するサンドイッチ用包装袋であり、サンドイッチの切り口が位置する斜面からなる正面部と、三角形状の２つの側面部と、矩形状の背面部と、矩形状の底面部とを有し、全体として三角柱状に形成されるサンドイッチ用包装袋であって、
前記正面部と前記背面部との交わる辺から上方に向かって延出する延出部を備え、
前記延出部は前記延出方向と直交する方向に沿って複数の領域に区分されると共に、前記複数の領域の１つまたは２つ以上の特定領域に識別マークを形成することによって、サンドイッチの廃棄時期を表示することを特徴とするサンドイッチ用包装袋。
【請求項２】
前記識別マークは、前記特定領域に印刷をすることによって形成されたマーク、あるいは前記特定領域にシールを貼り付けることによって形成されたマークであることを特徴とする請求項１に記載されたサンドイッチ用包装袋。
【請求項３】
前記識別マークは、前記特定領域を切り取ることによって形成されたマーク、あるいは前記特定領域を残して他を切り取ることによって形成されたマーク、あるいは前記特定領域に穴を形成することによって形成されたマークであることを特徴とする請求項１に記載されたサンドイッチ用包装袋。
【請求項４】
前記識別マークは、前記特定領域に形成された、前記延出部の先端側から基端側に向かうに従って先細になる三角形状の切り欠きであることを特徴とする請求項１に記載されたサンドイッチ用包装袋。
【請求項５】
前記切り欠きは、延出部の延設方向に沿う中心線側に、前記中心線と平行に形成された辺と、前記辺よりも延出部の外側に形成され、前記中心線に向かう前記中心線に対して傾斜した辺を有する三角形状の切り欠きであることを特徴とする請求項４に記載されたサンドイッチ用包装袋。
【請求項６】
前記識別マークは、前記特定領域に形成された、四角形状の切り欠きであることを特徴とする請求項１に記載されたサンドイッチ用包装袋。
【請求項７】
前記識別マークは、前記特定領域に形成された、凹部または凸部あることを特徴とする請求項１に記載されたサンドイッチ用包装袋。
【考案の詳細な説明】
【技術分野】
【０００１】
本考案はサンドイッチ用包装袋に関し、特に側面が三角形状のサンドイッチを包装するサンドイッチ用包装袋に関する。
【背景技術】
【０００２】
コンビニエンスストア等の店舗に商品「サンドイッチ」を陳列した際、パンに挟まれた具材が外部から見え易くするために、具材を挟んだパンを斜めに切断し、その切り口を正面に配置すると共に、その側面が三角形状になされたサンドイッチがある。
このサンドイッチを包装するサンドイッチ用包装袋は、例えば、特許文献１，２に示すように、サンドイッチの切り口が位置する正面部と、三角形状の２つの側面部と、矩形状の背面部と、矩形状の底面部とを有している。
【０００３】
そして、サンドイッチを包装したサンドイッチ用包装袋の背面部あるいは底面部には、賞味期限、消費期限および商品の説明などを表示したラベルが貼り付けられている。尚、特許文献１に記載された食品包装用袋、また特許文献２に記載されたサンドイッチ用包装体では、背面部にラベルが貼り付けられている。
【先行技術文献】
【特許文献】
【０００４】
【特許文献１】特開２００６−１３１２７１号公報
【特許文献２】特開２００１−５８６８７号公報
【考案の概要】
【考案が解決しようとする課題】
【０００５】
ところで、コンビニエンスストア等の店舗では、サンドイッチを陳列してから所定の時間が経過すると、食品衛生上の観点から廃棄処分を行っている。
この廃棄処分を行う際、店舗の従業員等は、サンドイッチ用包装袋の背面部あるいは底面部に貼られた前記ラベルを見て、サンドイッチの賞味期限や消費期限を確認し、前記賞味期限や消費期限の前の決められた時間を経過する前に、サンドイッチを廃棄している。
【０００６】
しかしながら、サンドイッチを棚に陳列した状態にあっては、前記ラベルがサンドイッチの背面部あるいは底面部に貼られているため、サンドイッチに隠れ、ラベルに記載された賞味期限や消費期限を確認することができなかった。
そのため、店舗の従業員等は、サンドイッチの賞味期限や消費期限を確認するために、サンドイッチを把持して包装袋の背面部あるいは底面部のラベルの記載事項を確認している。
【０００７】
この確認作業は店舗の従業員等にとって煩雑であり、しかも前記ラベルに記載されている文字、数字等を誤認し、また賞味期限や消費期限から廃棄時期を逆算する際に計算を間違え、廃棄時期を間違える虞があるという課題があった。
また、店舗の従業員等がサンドイッチを把持して前記ラベルを確認するために、サンドイッチの両側に配置されたパンが潰れてしまい、サンドイッチとしての商品価値が低下するという課題があった。
【０００８】
一方、サンドイッチ用包装袋の正面部に、前記ラベルを貼り付けた場合には、サンドイッチを棚等に陳列した状態でも賞味期限や消費期限を確認することができる。
しかしながら、サンドイッチ用包装袋の背面部あるいは底面部にラベルを貼った場合と同様に、ラベルに記載されている文字、数字等を誤認し、あるいはまた賞味期限や消費期限から廃棄時期を逆算する際に計算を間違え、廃棄時期を間違える虞があるという課題があった。
また、サンドイッチに挟まれた具材が外部から視認し難く、サンドイッチとしての商品価値が低下するという課題があった。
【０００９】
本考案は、上記技術的課題を解決するためになされたものであり、サンドイッチを棚等に陳列した状態でも、店舗の従業員等がサンドイッチに触れることなく、廃棄時期を容易に知ることができると共に、サンドイッチに挟まれた具材を外部から視認することができるサンドイッチ用包装袋を提供することを目的とする。
【課題を解決するための手段】
【００１０】
上記技術的課題を解決するためになされた本考案にかかるサンドイッチ用包装袋は、側面が直角三角形状のサンドイッチを包装するサンドイッチ用包装袋であり、サンドイッチの切り口が位置する斜面からなる正面部と、三角形状の２つの側面部と、矩形状の背面部と、矩形状の底面部とを有し、全体として三角柱状に形成されるサンドイッチ用包装袋であって、前記正面部と前記背面部との交わる辺から上方に向かって延出する延出部を備え、前記延出部は前記延出方向と直交する方向に沿って複数の領域に区分されると共に、前記複数の領域の１つまたは２つ以上の特定領域に識別マークを形成することによって、サンドイッチの廃棄時期を表示することを特徴としている。
【００１１】
このような構成によれば、サンドイッチを棚等に陳列した状態でも、店舗の従業員等がサンドイッチに触れることなく、廃棄時期を容易に知ることができると共に、サンドイッチに挟まれた具材を外部から視認することができる。
その結果、サンドイッチの廃棄時期を間違えることなく、適切に、また容易にサンドイッチを廃棄することができる。しかも、サンドイッチを把持することなく、廃棄時期を確認できるため、パンが潰れることによるサンドイッチとしての商品価値の低下を防止できる。
【００１２】
ここで、前記識別マークは、前記特定領域に印刷をすることによって形成されたマーク、あるいは前記特定領域にシールを貼り付けることによって形成されたマークであることが望ましい。
また、前記識別マークは、前記特定領域を切り取ることによって形成されたマーク、あるいは前記特定領域を残して他を切り取ることによって形成されたマーク、あるいは前記特定領域に穴を形成することによって形成されたマークであることが望ましい。
【００１３】
更に、前記識別マークは、前記特定領域に形成された、前記延出部の先端側から基端側に向かうに従って先細になる三角形状の切り欠きであることが望ましい。このように、前記識別マークとして、前記延出部の先端側から基端側に向かうに従って先細になる三角形状の切り欠きを設けた場合には、前記切り欠きを利用して、サンドイッチ用包装袋を容易に開封することができる。
【００１４】
前記切り欠きは、延出部の延設方向に沿う中心線側に、前記中心線と平行に形成された辺と、前記辺よりも延出部の外側に形成され、前記中心線に向かう前記中心線に対して傾斜した辺を有する三角形状の切り欠きであることが望ましい。
このような三角形状の切り欠きである場合には、前記切り欠きを利用して、サンドイッチ用包装袋を開封した際、前記包装袋は中央に向かって引き裂かれ、前記サンドイッチ用包装袋の中央部を開封でき、収容されているサンドイッチを容易に取り出すことができる。
【００１５】
また、前記識別マークは、前記特定領域に形成された、四角形状の切り欠きであることが望ましく、また前記識別マークは、前記特定領域に形成された、凹部または凸部あることが望ましい。
【考案の効果】
【００１６】
本考案によれば、サンドイッチを棚等に陳列した状態でも、店舗の従業員等がサンドイッチに触れることなく、廃棄時期を容易に知ることができると共に、サンドイッチに挟まれた具材を外部から視認することができるサンドイッチ用包装袋を得ることができる。
【図面の簡単な説明】
【００１７】
【図１】本考案の第１実施形態にかかるサンドイッチ用包装袋の斜視図
【図２】図１に示した延出部の拡大図
【図３】本考案の第２実施形態にかかる延出部の拡大図
【図４】本考案の第３実施形態にかかる延出部の拡大図
【図５】本考案の第４実施形態にかかる延出部の拡大図
【図６】本考案の第５実施形態にかかる延出部の拡大図
【図７】本考案の第６実施形態にかかる延出部の拡大図
【図８】本考案の第７実施形態にかかる延出部の拡大図
【図９】本考案の第８実施形態にかかる延出部の拡大図
【図１０】本考案の第９実施形態にかかる延出部の拡大図および断面図
【考案を実施するための形態】
【００１８】
〔第１実施形態〕
以下、本考案の第１実施形態にかかるサンドイッチ用包装袋について、図面に基づいて説明する。尚、図１は、本考案の第１実施形態にかかるサンドイッチ用包装袋の斜視図、図２は、図１に示した延出部の拡大図である。
【００１９】
サンドイッチ用包装袋１は、側面が略直角三角形状のサンドイッチを包装する袋であり、図１に示すように、店舗に陳列した際、サンドイッチに挟まれた具材が外部から容易に視認できように、サンドイッチの切り口が位置する正面部３と、三角形状の２つの側面部２と、矩形状の背面部４と、矩形状の底面部５とを有し、全体として三角柱状に形成されている。
【００２０】
また、前記サンドイッチ用包装袋１は、前記正面部３と、前記背面部４との交わる辺から外側（図中上方）に向かって延出する延出部６を備えている。
この延出部６は、前記背面部４を延長したものであっても良く、また前記背面部４と異なる別の部位を前記背面部４に一体的に設けたものであっても良い。
前記サンドイッチ用包装袋１は透明なフィルムから形成され、背面部４あるいは底面部５からサンドイッチを入れ、前記背面部４あるいは底面部５を折り畳み閉じることにより、その内部にサンドイッチを収容するように構成されている。
尚、図１では、前記サンドイッチ用包装袋１に収容されたサンドイッチの図示を省略している。以下の図面においても同様である。
【００２１】
前記正面部３は、前記サンドイッチ用包装袋１を棚等に陳列する際にサンドイッチを購入する消費者側に向く部位である。
サンドイッチは、その切断面（四角形状のサンドイッチを三角形状にカットしたときの切断面）を前記正面部３から視認できるように前記サンドイッチ用包装袋１の内部に収容される。
【００２２】
前記背面部４は、前記サンドイッチ用包装袋１を棚等に陳列する際に消費者側とは反対側に向く部位である。
前記底面部５は、前記サンドイッチを棚等に陳列する際に棚の上面に当接する部位である。この底面部５には、賞味期限、消費期限および商品の説明などが記載されたラベル（図示略）が貼り付けられている。なお、このラベルは、前記背面部４に貼り付けられていても良い。
【００２３】
前記延出部６は、前記したように前記背面部４から上方に延出された部位であって、図２に示すように、前記延出方向と直交する方向（図中左右方向）に沿って４つの領域６Ａ，６Ｂ，６Ｃ，６Ｄに区分されている。
【００２４】
また、前記延出部６には、識別マークＭ１が付されている。具体的には、図２に示すように、領域６Ａには他の領域６Ｂ，６Ｃ，６Ｄとは異なる色の印刷が施される。
尚、本実施形態では、前記識別マークＭ１は、各領域６Ｂ，６Ｃ，６Ｄとは異なる色の印刷を領域６Ａに施すことによって、領域６Ａが特定領域であることを示しているが、各領域６Ｂ，６Ｃ，６Ｄとは異なる模様の印刷を領域６Ａに施すことによって、領域６Ａが特定領域であること示しても良い。
要するに、前記識別マークＭ１は、各領域６Ａ〜６Ｄの少なくとも１つに所定の印刷をすることによって、印刷された領域が特定領域であることを示すことができれば良い。
【００２５】
また、各領域６Ａ，６Ｂ，６Ｃ，６Ｄは、境界線によって明確に区分されていても良いが、境界線等によって明確に区分されていない場合であっても、前記識別マークＭ１が形成される位置から特定領域を識別することができる程度に区分されていれば良い。
【００２６】
ここで、各領域６Ａ〜６Ｄは、例えば、前記ラベルに記載された賞味期限、消費期限経過前の時刻であって、コンビニエンスストア等の店舗にてサンドイッチを廃棄する時刻を表している。
具体的には、領域６Ａに識別マークＭ１が形成されている場合（特定領域が領域６Ａである場合）には、サンドイッチを廃棄する時刻が６時であることを表し、領域６Ｂに識別マークＭ１が形成されている場合（特定領域が領域６Ｂである場合）には、サンドイッチを廃棄する時刻が１２時であることを表している。
また、領域６Ｃに識別マークＭ１が形成されている場合（特定領域が領域６Ｃである場合）には、サンドイッチを廃棄する時刻が１８時であることを表し、領域６Ｄに識別マークＭ１が形成されている場合（特定領域が領域６Ｄである場合）には、サンドイッチを廃棄する時刻が２４（０）時であることを表している。
【００２７】
したがって、図２に示した識別マークＭ１は、特定領域が領域６Ａであるため、店舗の従業員等はサンドイッチを廃棄する時刻は６時であることを正確かつ容易に認識することができる。
尚、識別マークＭ１はサンドイッチの販売業者側で付与することもできるが、これらの時刻と特定領域との関係を、サンドイッチの販売業者とサンドイッチの生産者との間等で予め取り決めておくことにより、サンドイッチの生産者側で識別マークＭ１を付与することができる。
【００２８】
このように、識別マークＭ１（特定領域）が正面部ではなく、延出部６に形成されているため、消費者は、サンドイッチを棚等に陳列した状態でもサンドイッチに挟まれた具材を外部から視認することができる。
また、店舗の従業員等は、サンドイッチを棚等に陳列した状態において、識別マークＭ１（特定領域）から廃棄時期を、正確にかつ容易に認識することができ、廃棄時期の誤りを極力少なくすることができる。
更に、廃棄時期を確認するために、店舗の従業員等がサンドイッチを把持することがなくなり、サンドイッチの両側に配置されたパンが潰れてしまうことによる商品価値が低下を防止することができる。
【００２９】
更に、識別マークＭ１（特定領域）の意味を、サンドイッチの販売業者のみ、あるいはサンドイッチの販売業者とサンドイッチの生産者のみが認識することができ、消費者には認識することができない。
そのため、消費者が賞味期限または消費期限までに時間的余裕のある新しいサンドイッチを購入し、期限間近の古いサンドイッチが売れ残り、廃棄するサンドイッチが増加するという弊害を防止することができる。
【００３０】
〔第２実施形態〕
以下、本考案の第２実施形態にかかるサンドイッチ用包装袋について、図面に基づいて説明する。尚、図３は、本考案の第２実施形態にかかる延出部の拡大図である。また本実施形態以降の説明では、既に説明した部分については、同一符号を付してその説明を省略する。
【００３１】
前記第１実施形態では、前記サンドイッチ用包装袋１は、前記識別マークＭ１を備え、前記識別マークＭ１は、延出部６の領域６Ａ〜６Ｄの１つの領域に所定の印刷をすることによって、特定領域を示していた。
これに対して、第２の実施形態では、サンドイッチ用包装袋１Ａは、図３に示すように、識別マークＭ２を備え、前記識別マークＭ２を領域６Ａ〜６Ｄの１つにシールを貼り付けることによって、特定領域を示している。
【００３２】
具体的には、本実施形態では、領域６Ａには、図中に斜線の領域で示したように、識別マークＭ２であるシールが貼り付けられており、各領域６Ｂ，６Ｃ，６Ｄにはシールが貼り付けられていないことによって、領域６Ａが特定領域であることを示している。
このように、図３に示した識別マークＭ２も、前記識別マークＭ１と同様に、特定領域が領域６Ａであるため、店舗の従業員等はサンドイッチを廃棄する時刻は６時であることを正確かつ容易に認識することができる。
更に、この第２の実施形態においても、前記した第１の実施形態と同様な作用効果を得ることができる。
【００３３】
〔第３実施形態〕
以下、本考案の第３実施形態にかかるサンドイッチ用包装袋について、図面に基づいて説明する。尚、図４は、本考案の第３実施形態にかかる延出部の拡大図である。
【００３４】
この第３の実施形態おけるサンドイッチ用包装袋１Ｂは、各領域６Ａ〜６Ｄの境界には、図中に鎖線で示したようにミシン目６Ａ１，６Ｂ１，６Ｃ１，６Ｄ１が形成されている。そして、このミシン目６Ａ１，６Ｂ１，６Ｃ１，６Ｄ１によって、領域６Ａ〜６Ｄの１つ領域を切り取ることによって、特定領域を示している。即ち、第３の実施形態にあっては切り取られることによって、特定領域（識別マークＭ３）が形成される。
【００３５】
図４に示す場合にあっては、領域６Ａが切り取られており、各領域６Ｂ，６Ｃ，６Ｄは切り取られていない。したがって、前記識別マークＭ３は、特定の領域（領域６Ａ）を示している。
したがって、図４に示した識別マークＭ３も、前記識別マークＭ１と同様に、特定領域が領域６Ａであるため、店舗の従業員等はサンドイッチを廃棄する時刻は６時であることを正確かつ容易に認識することができる。
更に、この第３の実施形態においても、前記した第１の実施形態と同様な作用効果を得ることができる。
【００３６】
〔第４実施形態〕
以下、本考案の第４実施形態にかかるサンドイッチ用包装袋について、図面に基づいて説明する。尚、図５は、本考案の第４実施形態にかかる延出部の拡大図である。
【００３７】
この第４の実施形態では、サンドイッチ用包装袋１Ｃは、図５に示すように、識別マークＭ４を備え、前記識別マークＭ４は、領域６Ａ〜６Ｄの１つの領域を残して他を切り取ることによって、特定領域を示している。
尚、各領域６Ａ〜６Ｄを切り取ることができるように、ミシン目６Ａ２，６Ｂ２，６Ｃ２，６Ｄ２によって、容易に切り取ることができるように構成されている。
【００３８】
具体的には、第４の実施形態では、各領域６Ａ，６Ｃ，６Ｄは、切り取られており、領域６Ｂは、切り取られていない。
したがって、図５に示した識別マークＭ４（特定領域）は、領域６Ｂであるため、店舗の従業員等はサンドイッチを廃棄する時刻は１２時であることを正確かつ容易に認識することができる。
更に、この第４の実施形態においても、前記した第１の実施形態と同様な作用効果を得ることができる。
【００３９】
〔第５実施形態〕
以下、本考案の第５実施形態にかかるサンドイッチ用包装袋について、図面に基づいて説明する。尚、図６は、本考案の第５実施形態にかかる延出部の拡大図である。
【００４０】
この第５の実施形態では、サンドイッチ用包装袋１Ｄは、図６に示すように、識別マークＭ５を備え、前記識別マークＭ５は、領域６Ａ〜６Ｄの１つに穴を形成することによって、特定領域示している。
【００４１】
具体的には、本実施形態では、領域６Ａには穴が形成されており、各領域６Ｂ，６Ｃ，６Ｄには、識別マークＭ５である穴が形成されていない。
これにより、図６に示した識別マークＭ５（特定領域）は、前記識別マークＭ１と同様に、特定領域が領域６Ａであるため、店舗の従業員等はサンドイッチを廃棄する時刻は６時であることを正確かつ容易に認識することができる。
更に、この第５の実施形態においても、前記した第１の実施形態と同様な作用効果を得ることができる。
【００４２】
〔第６実施形態〕
以下、本考案の第６実施形態にかかるサンドイッチ用包装袋について、図面に基づいて説明する。尚、図７は、本考案の第６実施形態にかかる延出部の拡大図である。
【００４３】
この第６の実施形態おけるサンドイッチ用包装袋１Ｅは、図７に示すように、識別マークＭ６である切り欠きが設けられている。
前記識別マークＭ６である切り欠きは、前記延出部６の先端側（図中上方側）から基端側（図中下方側）に向かうに従って先細になる三角形状の切り欠きであって、領域６Ａ〜６Ｄの１つの領域に形成することによって、特定領域を示している。
【００４４】
具体的には、本実施形態では、領域６Ａには、三角形状の切り欠きが形成されており、各領域６Ｂ，６Ｃ，６Ｄには、三角形状の切り欠きが形成されていない。したがって、前記識別マークＭ６は特定領域が領域６Ａであることを示している。
【００４５】
したがって、図７に示した識別マークＭ６（特定領域）は、前記識別マークＭ１と同様に、特定領域が領域６Ａであるため、店舗の従業員等はサンドイッチを廃棄する時刻は６時であることを正確かつ容易に認識することができる。
更に、この第６の実施形態においても、前記した第１の実施形態と同様な作用効果を得ることができる。
また、前記延出部６に形成された識別マークＭ６（切り欠き）からサンドイッチ用包装袋を引き裂くことにより、三角形状の切り欠きの先端からＸ１方向に切断され、前記サンドイッチ用包装袋１Ｅを容易に開封することができる。
【００４６】
〔第７実施形態〕
以下、本考案の第７実施形態にかかるサンドイッチ用包装袋について、図面に基づいて説明する。尚、図８は、本考案の第７実施形態にかかる延出部の拡大図である。
【００４７】
この第７実施形態では、サンドイッチ用包装袋１Ｆは、図８に示すように、識別マークＭ７として、延出部６の延設方向に沿う中心線Ｌ側に、前記中心線Ｌと平行に形成された辺Ｍ７ｂと、前記辺Ｍ７ｂよりも延出部６の外側に形成され、前記中心線Ｌに向かう前記中心線Ｌに対して傾斜した辺Ｍ７ａを有する三角形状の切り欠きが形成されている。
【００４８】
この第７の実施形態は、第１の実施形態と同様な作用効果を得ることができるほか、前記延出部６に形成された識別マークＭ７（切り欠き）からサンドイッチ用包装袋を引き裂くことができ、前記サンドイッチ用包装袋１Ｆを容易に開封することができる。
【００４９】
しかも、識別マークＭ７（切り欠き）が、延出部６の延設方向に沿う中心線Ｌ側に、前記中心線Ｌと平行に形成された辺Ｍ７ｂと、前記辺Ｍ７ｂよりも延出部６の外側に形成され、前記中心線Ｌに向かう前記中心線Ｌに対して傾斜した辺Ｍ７ａを有する三角形状に形成されているため、三角形状の切り欠きの先端から中心線Ｌ側に向かうＸ２方向に切断され、前記包装袋１Ｆの中央部を開封でき、収容されているサンドイッチを容易に取り出すことができる。
【００５０】
〔第８実施形態〕
以下、本考案の第８実施形態にかかるサンドイッチ用包装袋について、図面に基づいて説明する。尚、図９は、本考案の第８実施形態にかかる延出部の拡大図である。
【００５１】
この第８の実施形態では、サンドイッチ用包装袋１Ｇは、図９に示すように、識別マークＭ８として、領域６Ａ〜６Ｄの１つに四角形状の切り欠きを形成することによって、特定領域を示している。
【００５２】
具体的には、この第８の実施形態では、領域６Ａに、四角形状の切り欠きが形成され、各領域６Ｂ，６Ｃ，６Ｄには、四角形状の切り欠きが形成されていないことにより、前記識別マークＭ８は、領域６Ａが特定領域であることを示している。
この第８の実施形態においても、第１の実施形態と同様な作用効果を得ることができる。
【００５３】
〔第９実施形態〕
以下、本考案の第９実施形態にかかるサンドイッチ用包装袋について、図面に基づいて説明する。尚、図１０は、本考案の第９実施形態にかかる延出部の拡大図である。具体的には、図１０（Ａ）は、前記延出部６を正面から見た図であり、図１０（Ｂ）は、図１０（Ａ）のＡ―Ａ´断面図である。
【００５４】
この第９実施形態では、サンドイッチ用包装袋１Ｈは、図１０に示すように、識別マークＭ９として、各領域６Ａ〜６Ｄの少なくとも１つの表面に、正面部３側に突出する凸部を形成することによって、特定領域を示している。
【００５５】
具体的には、第９実施形態では、領域６Ａには、凸部が形成されており、各領域６Ｂ，６Ｃ，６Ｄには、凸部が形成されていないため、前記識別マークＭ９によって、領域６Ａが特定領域であることを示している。
この第９実施形態においても、第１の実施形態と同様な作用効果を得ることができる。尚、第９実施形態では、前記識別マークＭ９は、正面部３側に突出する凸部を形成したが、凸部に代えて正面部３側が凹む凹部を形成しても良い。
【００５６】
〔実施形態の変形〕
なお、本考案は、前記各実施形態に限定されるものではなく、本考案の目的を達成できる範囲での変形、改良等は本考案に含まれるものである。
例えば、前記各実施形態では、前記延出部６は、４つの領域６Ａ〜６Ｄに区分けされていたが、２つや３つの領域に区分けされていてもよく、５つ以上の領域に区分けされていても良い。
尚、これら場合においても、境界線等によって明確に区分される必要はなく、前記識別マークが形成された位置から特定領域を識別することができる程度に区分されていれば良い。
【００５７】
また、前記各実施形態では、領域６Ａ〜６Ｄの１つを特定領域としたが、識別マークを複数付与することにより、複数の特定領域を示しても良い。このように複数の特定領域を示すことにより、廃棄時期をより細かく設定することができる。
【符号の説明】
【００５８】
１〜１Ｈ      サンドイッチ用包装袋
２            側面部
３            正面部
４            背面部
５            底面部
６            延出部
６Ａ〜６Ｄ    領域
Ｍ１〜Ｍ９    識別マーク
【図１】
0003185583.tif 000003
【図２】
0003185583.tif 000004
【図３】
0003185583.tif 000005
【図４】
0003185583.tif 000006
【図５】
0003185583.tif 000007
【図６】
0003185583.tif 000008
【図７】
0003185583.tif 000009
【図８】
0003185583.tif 000010
【図９】
0003185583.tif 000011
【図１０】
0003185583.tif 000012